(57)【要約】【課題】光ディスクが起動停止している場合にであっても、装着されている光ディスクの情報を迅速に確認することができる再生複合機を提供する。【課題を解決するための手段】本発明の再生複合機を構成する光ディスク再生装置は、光ディスクの着脱を検知する光ディスク検知部を備えている。また、光ディスクの管理情報記録領域より、光ディスクを一意に特定するための識別情報を取得する識別情報取得部を備えている。識別情報取得部は、光ディスク検知部により光ディスクの装着が検知された際に、識別情報を読み取って表示装置に送信する。表示装置が備える識別情報記録部は、光ディスク再生装置より識別情報を与えられた際に、識別情報を記録部に記録する。そして識別情報表示部が識別情報の表示指示を受け付けることにより識別情報を読み出して表示部に表示する。【選択図】図１
2009048726.tif 000002
【特許請求の範囲】
【請求項１】
記録部、表示部、及び映像信号の重畳を行う映像信号重畳部を備えた表示装置と、光ディスクドライブを備えた光ディスク再生装置とを含み、前記表示装置及び前記光ディスク装置の起動／未起動を個別に制御可能である再生複合機において、
前記光ディスク再生装置が、前記光ディスクドライブに対する光ディスクの着脱を検知する光ディスク検知手段と、前記光ディスク検知手段により光ディスクの装着が検知された際に光ディスクの管理情報記録領域より光ディスクを識別するための識別情報を取得して前記表示装置に与える識別情報取得手段と、を備えており、
前記表示装置が、前記識別情報取得手段より与えられた前記識別情報を記録部に記録する識別情報記録手段と、前記識別情報の表示指示を受け付けることにより前記識別情報を記録部より読み出し、前記識別情報を含む映像信号を前記映像信号重畳部により重畳して前記表示部に表示する識別情報表示手段と、を備えていること
を特徴とする再生複合機。
【請求項２】
前記表示装置が、前記光ディスク検知部により光ディスクの脱着が検知された際に、前記記録部に記録されている前記識別情報を消去する識別情報消去手段を備えていること
を特徴とする請求項１に記載の再生複合機。
【請求項３】
前記識別情報として、光ディスクの管理情報記録領域に記録されているボリュームラベルを用いること
を特徴とする請求項１または請求項２に記載の再生複合機。
【請求項４】
操作部を備え、
前記操作部に含まれる識別情報表示ボタンが押下された場合、及び前記映像信号重畳部により重畳された映像信号により表示される操作画面において前記識別情報の表示操作が行われた場合に、前記識別情報の表示指示が発行されること、
を特徴とする請求項１〜請求項３のいずれかに記載の再生複合機。
【発明の詳細な説明】
【技術分野】
【０００１】
本発明は、光ディスクに記録された映像を再生する光ディスク再生装置及び表示装置からなる再生複合機に関するものであり、特に光ディスク再生装置が起動停止している状態においても光ディスクに関する情報を表示装置に表示可能である再生複合機に関する。
【背景技術】
【０００２】
近年、テレビ等の映像装置において処理される動画や音声の再生を行うための装置として、ＤＶＤ（Digital Versatile Disk）プレーヤまたはＢＤ（Blu-ray Disc）プレーヤ等のデジタル方式による再生装置が広く普及している。また、これら再生装置とテレビ装置等の表示装置が一体となった再生複合機が広く普及している。
【０００３】
代表的な再生複合機としては、例えばＨＤＤレコーダ内蔵テレビや、ＤＶＤプレーヤ内蔵テレビ等が存在する。これらの複合機は通常、複合機に含まれる各装置に電力を供給する共用電源を備えているが、動作制御は装置単位で個別に行うことができるようになっている。例えばＤＶＤプレーヤ内蔵テレビであれば、ＤＶＤプレーヤ装置部とテレビ装置部とがそれぞれ独立して動作可能である。従って例えば、複数の電源ボタンを個別に供えている。これにより、一部の装置部のみを使用する場合に、他の装置部の動作を停止させて消費電力を低減することができる。
【０００４】
上記に関連して特許文献１には、光ディスク装置に光ディスクがセットされている状態において、光ディスクのセット状態をテレビ受像機のＯＳＤ（On Screen Display）で表示し、セット状態をユーザに一見して分かるようにした光ディスクシステムが開示されている。このディスクシステムは、光ディスクが装置本体にセットされているか否かを検知する。そして光ディスクのセット状態を表す信号としてＤｉｓｋＩｎ表示信号を生成し、ＤｉｓｋＩｎ表示信号を前記テレビ受像機に送信する。テレビ受像機は、ＤｉｓｋＩｎ表示信号を受信した時に、光ディスクのセット状態を表す映像としてＤｉｓｋＩｎ映像をＯＳＤで表示する。
【０００５】
また上記に関連して特許文献２には、所望の音楽が、複数の記録媒体の何れに記録されているかを容易に把握できる再生装置が開示されている。この再生装置は、所望の音楽の音楽案内情報を入力すると、過去に一度でも装置に装填したことのある記録媒体中に、入力された音楽案内情報と一致する音楽データファイルが記録されている媒体があるかどうかを判定する。該当する媒体がある場合、ユーザに当該記録媒体の記録媒体識別情報を告知する。
【特許文献１】特開２００６−２６８９９０号公報
【特許文献２】特開２００５−３４６８９３号公報
【発明の開示】
【発明が解決しようとする課題】
【０００６】
しかしながら特許文献１及び特許文献２においては、ディスクの情報を読み取って表示するために、ディスク再生装置とテレビ装置の両方が起動状態である必要がある。再生複合機では、テレビ放送を視聴する場合のように、ディスク再生装置を使わない場合はディスク再生装置を停止しているのが通常である。従ってこのような状態において、ディスク再生装置にセットされている光ディスクの情報を確認したい場合、ユーザは光ディスク再生装置の電源を起動し、かつスピンアップ処理が完了してディスクの読み取りが可能となるまで待たなければならないという問題があった。
【０００７】
本発明は、上記の問題を鑑みてなされたものであり、光ディスク再生装置を含む再生復号機において、光ディスクが停止している場合であっても、セットされている光ディスクに関する情報を迅速に通知することができる再生複合機を提供することを目的とする。
【課題を解決するための手段】
【０００８】
上記目的を達成するために本発明の再生複合機は、記録部、表示部、及び映像信号の重畳を行う映像信号重畳部を備えた表示装置と、光ディスクドライブを備えた光ディスク再生装置とを含み、前記表示装置及び前記光ディスク装置の起動／未起動を個別に制御可能である再生複合機において、前記光ディスク再生装置が、前記光ディスクドライブに対する光ディスクの着脱を検知する光ディスク検知手段と、前記光ディスク検知手段により光ディスクの装着が検知された際に光ディスクの管理情報記録領域より光ディスクを識別するための識別情報を取得して前記表示装置に与える識別情報取得手段と、を備えており、前記表示装置が、前記識別情報取得手段より与えられた前記識別情報を記録部に記録する識別情報記録手段と、前記識別情報の表示指示を受け付けることにより前記識別情報を記録部より読み出し、前記識別情報を含む映像信号を前記映像信号重畳部により重畳して前記表示部に表示する識別情報表示手段と、を備えていることを特徴としている。
【０００９】
これによると、本発明の再生複合機は、テレビ装置等の表示装置と、ＤＶＤプレーヤ等の光ディスク再生装置とからなる複合機である。表示装置は少なくともメモリ等の記録部、モニタ等の表示部、及び表示部にＯＳＤ表示を行うための映像信号を生成して重畳するＯＳＤ処理部（＝映像信号重畳部）を備えている。また光ディスク再生装置は、少なくとも光ディスクドライブを備えている。なお表示装置と光ディスク再生装置とは個別の制御部を備えており、従って各装置が独立して動作することが可能である。
【００１０】
さらに光ディスク再生装置は、光ディスクの着脱を検知する光ディスク検知部（＝光ディスク検知手段）を備えている。また、光ディスクのファイルシステム等を記録している管理情報記録領域より、光ディスクを一意に特定するための識別情報を取得する識別情報取得部（＝識別情報取得手段）を備えている。識別情報取得部は、光ディスク検知部により光ディスクの装着が検知された際に、識別情報を読み取って表示装置に送信する。
【００１１】
さらに表示装置は、識別情報記録部（＝識別情報記録手段）及び識別情報表示部（＝識別情報表示手段）を備えている。識別情報記録部は、光ディスク再生装置より識別情報を与えられた際に、識別情報をメモリ等の記録部に記録する。識別情報表示部は、識別情報の表示指示を受け付けることにより記録部より識別情報を読み出す。そして読み出した識別情報を表示するための映像信号をＯＳＤ処理部により重畳し、表示部に表示する。
【００１２】
上記のように本発明では、光ディスクの識別情報表示指示を受け付けてから識別情報取得処理を行うのではなく、予め識別情報を取得して記録しておくため、表示処理の処理時間を短縮することができる。また、光ディスク装置が起動停止している場合においても、光ディスク装置を起動させることなく、識別情報を表示することができる。
【００１３】
また、上記目的を達成するために本発明の再生複合機は、前記表示装置が、前記光ディスク検知部により光ディスクの脱着が検知された際に、前記記録部に記録されている前記識別情報を消去する識別情報消去手段を備えていることを特徴としている。
【００１４】
これによると本発明の再生複合機は、表示装置が識別情報消去部（＝識別情報消去手段）を備えている。識別情報消去部は、光ディスク検知部が光ディスクの脱着を検知した際に発行する脱着検知通知を待ち受ける。そして脱着検知通知を受け付けた際に、記録部に記録されている識別情報を消去する。このため、光ディスクが装着されていない状態において誤った識別情報が表示されるのを防止することができる。
【００１５】
また、上記目的を達成するために本発明の再生複合機は、前記識別情報として、光ディスクの管理情報記録領域に記録されているボリュームラベルを用いることを特徴としている。
【００１６】
これによると、識別情報取得部は、光ディスクのファイルシステムに含まれるボリュームラベルを識別情報として用いる。ボリュームラベルは光ディスク毎に固有の値が記録されているため、光ディスクを一意に特定することできる。またボリュームラベルは光ディスクに含まれる映像データの再生等を行うことなく取得できるため、短い処理時間で取得を完了できる。
【００１７】
また、上記目的を達成するために本発明の再生複合機は、操作部を備え、前記操作部に含まれる識別情報表示ボタンが押下された場合、及び前記映像信号重畳部により重畳された映像信号により表示される操作画面において前記識別情報の表示操作が行われた場合に、前記識別情報の表示指示が発行されることを特徴としている。
【００１８】
これによると本発明の再生複合機は、リモコン等の操作装置（＝操作部）に含まれる識別情報表示ボタンをユーザが操作するのを受けて、識別情報を表示する。また、ＯＳＤ表示されるメニュー画面等においてユーザが識別情報表示用のアイコン等を選択するのを受けて、識別情報を表示する。
【発明の効果】
【００１９】
本発明によれば、予め識別情報を取得して記録しておくため、識別情報表示処理の処理時間を短縮することができる。このため、ユーザの待ち時間を削減でき、利便性が向上する。また本発明によれば、光ディスク装置が起動停止していても、表示装置さえ起動していれば、ユーザは識別情報を確認することができる。このため、光ディスクの内容を確認するためだけに光ディスク装置を起動させ、光ディスクの脱着、或いは再生実施により光ディスクのタイトルを確認するといった手間を省くことができる。
【００２０】
また本発明によれば、光ディスクが光ディスクドライブから取り出された際に、記録部に記録されている前記識別情報を消去し、表示できないようにする。このため、光ディスクが装着されていないにも関わらず識別情報が表示されることにより、ユーザが光ディスクのタイトルを誤認識するといった弊害を防止することができる。
【００２１】
また本発明によれば、光ディスク毎に固有のボリュームラベルを識別情報として用いる。このためユーザは、光ディスクの脱着を行うことなく、光ディスクのタイトルを容易に識別することができる。またボリュームラベルの取得は映像の再生処理等と比べて短い処理時間で取得できるため、ユーザの待ち時間を短縮することができる。
【００２２】
また本発明によれば、リモコン等の操作装置やＯＳＤ表示されるメニュー画面等を用いて、識別情報の表示指示を行う。このためユーザは、識別情報の表示操作を容易かつ直感的に行うことができる。
【発明を実施するための最良の形態】
【００２３】
以下に本発明の一実施形態を、図面を参照しながら説明する。なお、ここで示す実施形態は一例であり、本発明はここに示す実施形態に限定されるものではない。
【００２４】
〈１．内部構成について〉
図２は、本発明の一実施形態に係るＤＶＤプレーヤ内蔵テレビ１００（＝再生複合機）を示すブロック構成図である。ＤＶＤプレーヤ内蔵テレビ１００は、テレビ装置部１及び光ディスク装置部３から構成されている。テレビ装置部１（＝表示装置）及び光ディスク装置部３（＝光ディスク再生装置）は共有の電源（不図示）から電圧の供給を受けて動作するが、動作制御は各制御部（＝テレビ制御部１１及び制御部３１）により、装置毎に個別に行われる。従って例えば、光ディスク装置部３が停止状態でも、テレビ装置部１によるテレビ放送の視聴を行うことができる。
【００２５】
テレビ装置部１は少なくとも、制御部１１、メモリ１２（＝記録部）、放送受信部１３、データ入力部１４、映像信号処理部１５、ＯＳＤ処理部１６（＝映像信号重畳部）、映像信号出力部１７、モニタ１８（＝表示部）、音声信号処理部１９、音声信号出力部２０、スピーカ２１、及び操作部２２を含むように構成されている。また光ディスク装置部３は少なくとも、制御部３１、光ディスクドライブ３２、ピックアップ制御部３３、及び信号処理部３４を含むように構成されている。
【００２６】
制御部１１は、テレビ装置部１の各部材の駆動を制御することにより、テレビ放送の受信や、受信したテレビ放送の表示処理等を統括制御するためのものである。制御部１１は例えば、複数のマイクロプロセッサから構成されている。また制御部１１は、各装置の制御やデータの計算、加工処理等を行う中枢部分となっている。なお、制御部１１が備える各機能部（図１の識別情報記録部１１ａ〜識別情報消去部１１ｃ）の詳細については後述する。
【００２７】
メモリ１２は、テレビ装置部１が保持する各種データを一時的に記録する媒体であり、例えば書込可能なＲＡＭ（Ｒａｎｄｏｍ  Ａｃｃｅｓｓ  Ｍｅｍｏｒｙ）等により構成されている。メモリ１２は、例えば制御部１１によって再生処理が行われる際の処理データや、ユーザから受けた指示命令等を一時的に記録しておくためのバッファメモリとしての役割を持つ。
【００２８】
放送受信部１３は、外部のアンテナ（不図示）に接続されてデジタル放送、或いはアナログ放送の選局、受信、周波数変換、増幅、復調等を行う。これにより受信した放送信号より、映像信号、或いは音声信号等が得られる。放送受信部１３は、アナログ方式であればアナログチューナ、映像中間周波増幅回路、復調回路、及び増幅回路等を含むように構成されている。またデジタル方式であれば、デジタルチューナ、誤り訂正部、多重分離部等を含むように構成されている。
【００２９】
データ入力部１４は、外部装置から映像信号や音声信号の入力を行うための入力インタフェースである。また、映像信号や音声信号を特定の圧縮方式により圧縮したデジタル情報を入力する役割も持つ。データ入力部１４は例えば、ＲＣＡ端子、Ｓ端子、或いはＨＤＭＩ端子等の外部接続端子を含むように構成されている。
【００３０】
映像信号処理部１５は、映像信号をＭＰＥＧ２等の動画圧縮方式により圧縮を行うことによりデジタル情報を生成する。なお、圧縮を行う信号としては、例えばデータ入力部１４より入力された映像信号が圧縮対象となる。また逆に、放送受信部１３から与えられたデジタル放送データを映像信号に復号する機能も持つ。
【００３１】
ＯＳＤ処理部１６は文字画やアイコン等の静止画を表示するための映像信号を生成する。具体的には例えば、ユーザが録画の予約を行うための録画予約画面や、動画データより抽出したサムネイル映像を表示するための映像信号を生成する。ＯＳＤ処理部１６により生成された映像信号は映像信号処理部１５より与えられる映像信号に重畳され、映像信号出力部１７に与えられる。
【００３２】
映像信号出力部１７は、ＯＳＤ処理部１６から与えられた映像信号を原色信号に変換する。そして原色信号を用いて、モニタ１８に映像の表示を行う。映像信号出力部１７は例えば、ＬＳＩチップ等の集積回路により実現される。
【００３３】
モニタ１８は、例えばバックライト、液晶パネル、及びドライバ等からなるＬＣＤ（Liquid Crystal Display）モジュールから構成される表示部である。バックライトは液晶パネルの裏側に配置されている発光装置である。バックライトは、例えば光源に冷陰極管を用いるエッジライト方式や、蛍光ランプを液晶パネルの背面に並べる直下型方式のものを用いる。このバックライトの光源の発光量は、バックライトアジャスタやインバータ回路により調整される。
【００３４】
音声信号処理部１９は、放送受信部１３により復調された音声や、データ入力部１４より入力された音声を含むデジタル信号をＤ／Ａ変換によりアナログ信号に変換し、音声信号出力部２０に与える。音声信号出力部２０は、スピーカ２１を用いて、音声信号を音声に変換して出力する。なおこの際、音声信号出力部２０は制御部１１から受けた指示に基づいて出力音量や音質の設定を行う。
【００３５】
操作部２２は、ユーザが番組の視聴等を行うための各種指示をＤＶＤプレーヤ内蔵テレビ１００に対して行うためのものである。操作部１３により出力された指示は、制御部１１により受け付けられる。また操作部２２は、制御部１１に対して光ディスクの識別情報表示指示を発行するための識別情報表示ボタン（不図示）を含むように構成されている。
【００３６】
制御部３１は、光ディスク装置部３の各部材の駆動を制御することにより、光ディスクの再生処理等を統括制御するためのものである。制御部３１は例えば、複数のマイクロプロセッサから構成されている。また制御部３１は、各装置の制御やデータの計算、加工処理等を行う中枢部分となっている。なお、制御部３１が備える機能部（図１の識別情報取得部３１ａ、及び光ディスク検知部３１ｂ）の詳細については後述する。
【００３７】
光ディスクドライブ３２は、ＣＤメディア、或いはＤＶＤメディア９１等の光ディスクに対して光学的に各種データの読み取りを行うための光学装置である。なお、光ディスクには複数の規格が存在するため、光ディスクドライブ３２が対応する規格に応じた光ディスクを使用しなければ、各種処理（再生処理等）を行うことができない。
【００３８】
ピックアップ制御部３３は、ＤＶＤドライブ３２が備える光ピックアップ（不図示）の制御を行う。光ピックアップは、ＤＶＤメディア９１に光ビームを照射して、ＤＶＤメディア９１に記録された音声情報、映像情報等の各種情報の読み取りを行う。この際、光ピックアップの駆動制御やフォーカス制御、或いはチルト制御等の各種制御をピックアップ制御部３３が行う。
【００３９】
信号処理部３４は、光ディスクドライブ３２がＤＶＤメディア９１より読み出したデータ、例えばＭＰＥＧ２方式のストリーミングデータの復調を行い、映像信号や音声信号、或いは管理情報を取得する。取得された信号、或いは各種管理情報は、制御部３１に与えられ、その一部がテレビ装置部１に送られる。
【００４０】
〈２．機能部の構成について〉
ここで、本発明の一実施形態に係るＤＶＤプレーヤ内蔵テレビ１００におけるディスク情報表示処理を実施するための各機能部の関係を、図１の機能ブロック図を用いながら説明する。
【００４１】
図１に示すように本発明のディスク情報表示処理は少なくとも、制御部１１が備える識別情報記録部１１ａ（＝識別情報記録手段）、識別情報表示部１１ｂ（＝識別情報表示手段）、及び識別情報消去部１１ｃ（＝識別情報消去手段）と、制御部３１が備える識別情報取得部３１ａ（＝識別情報取得手段）、及び光ディスク検知部３１ｂ（＝光ディスク検知手段）と、メモリ１２と、ＯＳＤ処理部１６と、映像信号出力部１７と、モニタ１８と、光ディスクドライブ３２とにより実施される。
【００４２】
識別情報記録部１１ａは、後述する識別情報取得部３１ａより光ディスク（図２のＤＶＤメディア９１等）の識別情報を与えられた際に、識別情報をメモリ１２に記録する。なお光ディスクの識別情報は、光ディスクを一意に特定できる情報であればその種別は特に限定されないが、本実施形態においては、光ディスクのファイルシステムに含まれるボリュームラベルを識別情報として用いるものとする。従って識別情報記録部１１ａは、識別情報取得部３１ａより与えられたボリュームラベルをメモリ１２に記録する。
【００４３】
識別情報表示部１１ｂは、操作部２２によるユーザ操作により光ディスクの識別情報表示要求を受け付けた際に、メモリ１２に記録されている光ディスクのボリュームラベルを読み出し、ＯＳＤ処理部１６を用いてモニタ１８に表示する。
【００４４】
識別情報消去部１１ｃは、後述する光ディスク検知部３１ｂから、光ディスクドライブ３２より光ディスクが脱着されたことを示す通知を受けた際に、メモリ１２に記録されている光ディスクのボリュームラベルを消去する。
【００４５】
識別情報取得部３１ａは、後述する光ディスク検知部３１ｂから、光ディスクドライブ３２に光ディスクが装着されたことを示す通知を受けた際に、光ディスクの管理情報記録領域からファイルシステムを読み出す。そしてファイルシステムに含まれているボリュームラベルを取得し、識別情報記録部１１ａに与える。
【００４６】
光ディスク検知部３１ｂは、光ディスクドライブ３２の状態を監視する。そして光ディスクドライブ３２への光ディスクの装着を検知した際に、識別情報取得部３１ａに装着検知通知を与える。また、光ディスクドライブ３２から光ディスクが脱着されたことを検知した際に、識別情報消去部１１ｃに脱着検知通知を与える。
【００４７】
〈３．識別情報表示画面について〉
ここで、本発明の一実施形態に係るＤＶＤプレーヤ内蔵テレビ１００における識別情報表示画面の一例を、図３の画面図を用いながら説明する。なお以下に示す識別情報表示画面は、例えばＯＳＤ処理部１６により表示されるメニュー画面（＝操作画面）においてディスク情報の表示が選択された場合や、操作部２２に含まれる識別情報表示ボタンが押下された場合等に表示される。
【００４８】
図３に示すように本発明のＤＶＤプレーヤ内蔵テレビ１００が表示する識別情報表示画面５０には少なくとも、識別情報表示領域５１を含むように構成されている。なお図３には図示していないが、この他に再生中映像のタイトルや再生時間、操作メニュー等を表示するための文字情報がＯＳＤ処理部１６により表示されている形態であってもよい。
【００４９】
識別情報表示領域５１は、識別情報表示部１１ｂがメモリ１２より読み出したボリュームラベルを表示するための領域であり、識別情報表示画面５０の任意の位置に表示可能である。図３に示す例では、ボリュームラベルとして「Ｄｉｓｋ０７０７０９」という文字列が表示されている。なお、識別情報表示領域５１の表示位置や大きさを、操作部２２によりユーザが変更可能である形態であってもよい。なお、識別情報所定領域５１は、表示開始から所定時間が経過した場合、或いは特定のユーザ操作を受け付けた場合等に画面上より消去される。
【００５０】
〈４．識別情報の取得処理について〉
ここで、本発明の一実施形態に係るＤＶＤプレーヤ内蔵テレビ１００における光ディスクの識別情報取得処理について、図１及び図２のブロック図と、図４のフロー図とを用いながら説明する。
【００５１】
図４は、本発明の一実施形態に係る識別情報取得処理フローを示したフローチャートである。本処理は、光ディスク検知部３１ｂが光ディスクドライブ３２にＤＶＤメディア９１が装着されたことを検知することにより開始される。
【００５２】
ＤＶＤメディア９１の装着を検知した光ディスク検知部３１ｂは、識別情報取得部３１ａ及びピックアップ制御部３３に装着検知通知を与える。同時に光ディスクドライブ３２はステップＳ１１０において、スピンドルモータで駆動する駆動部材へＤＶＤメディア９１を設置するチャッキング処理を行う。
【００５３】
そしてステップＳ１２０において、光ディスクを回転駆動させるスピンアップ処理を開始する。スピンアップ処理が開始されるとピックアップ制御部３３は、光ピックアップのフォーカス制御やトラッキング制御等を行うことにより、ＤＶＤメディア９１の記録面から情報を読み取れる状態（＝アクセス可能状態）とする。
【００５４】
アクセス可能状態となった後、識別情報取得部３１ａはステップＳ１３０において、ＤＶＤメディア９１の管理情報が記録されている領域（＝管理情報記録領域）より、ボリュームラベルを読み取る。そしてステップＳ１４０において、読み取ったボリュームラベルを識別情報記録部１１ａに与える。
【００５５】
ボリュームラベルを与えられた識別情報記録部１１ａはステップＳ１５０において、ボリュームラベルをメモリ１２に記録する。次に制御部３１は、ＤＶＤメディア９１の再生指示を検知したかどうかの判定を行う。なお再生指示は、操作部２２に含まれる再生ボタンがユーザにより押下された場合等に発行される。
【００５６】
再生指示が検知された場合ステップＳ１７０において、ピックアップ制御部３３、信号処理部３４、映像信号出力部１７、及びモニタ１８等を用いて、ＤＶＤメディア９１の再生処理を行う。逆に所定時間を経過しても再生指示が検知されなかった場合、光ディスクドライブ３２はステップＳ１６１において、スピンアップ処理を停止する。これにより、アクセス可能状態を一旦解除した後、本処理を終了する。
【００５７】
〈５．識別情報の表示処理について〉
ここで、本発明の一実施形態に係るＤＶＤプレーヤ内蔵テレビ１００における光ディスクの識別情報表示処理について、図１及び図２のブロック図と、図３の画面図と、図５のフロー図とを用いながら説明する。
【００５８】
図５は、本発明の一実施形態に係る識別情報表示処理フローを示したフローチャートである。本処理は、識別情報表示部１１ｂがＤＶＤメディア９１の識別情報表示要求を検知した際に開始される。なお識別情報表示要求は、例えばＯＳＤ処理部１６により表示されるメニュー画面において、識別情報表示の実行を示すアイコンが選択された場合や、操作部２２に含まれる識別情報表示ボタンが押下された場合等に発行される。
【００５９】
識別情報表示要求を受けた識別情報表示部１１ｂはステップＳ２１０において、メモリ１２よりボリュームラベルの読み出しを行う。なお、メモリ１２にボリュームラベルが記録されていない場合は、エラーメッセージ、或いは光ディスク未装着であることを示す文字映像をＯＳＤ処理部１６により生成してモニタ１８に表示することが望ましい。
【００６０】
次に識別情報表示部１１ｂはステップＳ２２０において、読み出したボリュームラベルを示す文字映像をＯＳＤ処理部１６により生成してモニタ１８に表示する。これにより例えば、図３に示すように識別情報表示領域５１が表示され、その内部にボリュームラベルを示す文字映像が表示される。
【００６１】
次に識別情報表示部１１ｂはステップＳ２３０において、識別情報表示領域５１の消去指示を検知したかどうかの判定を行う。なおこの消去指示は例えば、識別情報表示領域５１が表示されている状態において前述の識別情報表示ボタンが押下された場合等に発行される。或いは、消去指示を行うための識別情報消去ボタンが操作部２２に含まれている形態であってもよい。
【００６２】
消去指示が検知されたと判定された場合、識別情報表示部１１ｂはステップＳ２５０において、ＯＳＤ処理部１６による識別情報表示領域５１の表示処理を停止し、本処理を終了する。消去指示が検知されていないと判定された場合、識別情報表示部１１ｂはステップＳ２４０において、ＯＳＤ処理部１６による識別情報表示領域５１の表示を開始してから所定時間が経過したかどうかの判定を行う。
【００６３】
所定時間が経過していないと判定された場合、再びステップＳ２３０に移行する。所定時間が経過していると判定された場合、ステップＳ２５０に移行し、ＯＳＤ処理部１６による識別情報表示領域５１の表示処理を停止した後、本処理を終了する。
【００６４】
〈６．識別情報の消去処理について〉
ここで、本発明の一実施形態に係るＤＶＤプレーヤ内蔵テレビ１００における光ディスクの識別情報消去処理について、図１及び図２のブロック図と、図６のフロー図とを用いながら説明する。
【００６５】
図６は、本発明の一実施形態に係る識別情報消去処理フローを示したフローチャートである。本処理は、光ディスク検出部３１ｂが、光ディスクドライブ３２に装着されているＤＶＤメディア９１の脱着指示を検知した際に開始される。なお脱着指示は、例えば操作部２２に含まれる光ディスクイジェクトボタンが押下された場合等に発行される。
【００６６】
ＤＶＤメディア９１の脱着指示を検知した光ディスク検知部３１ｂはステップＳ３１０において、識別情報消去部１１ｃに対して脱着検知通知を与える。脱着検知通知を受けた識別情報消去部１１ｃはステップＳ３２０において、メモリ１２に記録されている識別情報、つまりボリュームラベルの消去を行う。
【００６７】
次に光ディスクドライブ３２はステップＳ３３０において、光ディスクの脱着処理を行い、本処理を終了する。なお、光ディスクの脱着処理については従来技術と同内容であるため、ここでは説明を省略する。
【００６８】
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００６９】
従って本発明は、以下の形態にも適用可能である。
（Ａ）本実施形態では、識別情報取得処理、識別情報表示処理、及び識別情報消去処理に関わる各種機能部が、マイクロプロセッサ等の演算処理装置上でプログラムを実行することにより実現されているが、各種機能部が複数の回路により実現される形態でもよい。
【００７０】
（Ｂ）本実施形態では、再生複合機としてＤＶＤプレーヤ内蔵テレビ１００を例に挙げているが、光ディスク再生装置を備えた複合装置であれば、これ以外の装置において本発明の識別情報表示処理を実施することも可能である。例えば、ＢＤプレーヤ内蔵テレビや、ＤＶＤ／ＶＣＲ／テレビ複合機等において実施する形態であってもよい。
【００７１】
（Ｃ）本実施形態では、光ディスクを一意に特定するための識別情報としてボリュームラベルを用いているが、これ以外のデータを識別情報として用いる形態であってもよい。また、識別情報以外の情報、例えばディスク種別や記録データサイズ、或いはファイナライズ日時等を付加データとして取得し、識別情報に付加して記録及び表示する形態であってもよい。これにより、ユーザが光ディスクの内容をより識別しやすくなるという効果が得られる。
【図面の簡単な説明】
【００７２】
【図１】は、本発明の再生複合機が備える機能部の構成を示す機能ブロック図である。
【図２】は、本発明の再生複合機の内部構造を示す構成図である。
【図３】は、本発明の識別情報表示画面の一例を示した画面図である。
【図４】は、本発明の識別情報取得処理を示したフロー図である。
【図５】は、本発明の識別情報表示処理を示したフロー図である。
【図６】は、本発明の識別情報消去処理を示したフロー図である。
【符号の説明】
【００７３】
１００  ＤＶＤプレーヤ内蔵テレビ（再生複合機）
１      テレビ装置部（表示装置）
１１    制御部
１１ａ  識別情報記録部（識別情報記録手段）
１１ｂ  識別情報表示部（識別情報表示手段）
１１ｃ  識別情報消去部（識別情報消去手段）
１２    メモリ（記録部）
１６    ＯＳＤ処理部（映像信号重畳部）
１８    モニタ（表示部）
２２    操作部
３      光ディスク装置部（光ディスク再生装置）
３１    制御部
３１ａ  識別情報取得部（識別情報取得手段）
３１ｂ  光ディスク検知部（光ディスク検知手段）
３２    光ディスクドライブ
【図１】
2009048726.tif 000003
【図２】
2009048726.tif 000004
【図４】
2009048726.tif 000005
【図５】
2009048726.tif 000006
【図６】
2009048726.tif 000007
【図３】
2009048726.tif 000008